(57)【要約】      （修正有）【課題】  駅伝競技のランナーのチーム名を遠方から容易に視認、確認、判別できる伴走車を提供する。【解決手段】  駅伝競技等で襷等をかけて走るランナーに伴走する伴走車において、ランナー１は、特定の色彩の襷５及び／又はユニフォームを装着しており、伴走車１０は、ランナーの襷及び／又はユニフォームと略々一致する色彩に彩色した遠方から看取可能な表示部１１を有する。【選択図】      図１
2006023485.tif 000002
【特許請求の範囲】
【請求項１】
駅伝競技等で襷等をかけて走るランナーに伴走する伴走車において、
前記ランナーは、特定の色彩の襷及び／又はユニフォームを装着しており、
前記伴走車は、ランナーの襷及び／又はユニフォームと略々一致する色彩に彩色した遠方から看取可能な表示部を有する、
ことを特徴とする駅伝競技等の伴走車。
【請求項２】
前記伴走車の車体の一部／主要部／全部の何れかを、前記ランナーの襷及び／又はユニフォームと略々一致する色彩に彩色したことを特徴とする請求項１に記載の駅伝競技等の伴走車。
【請求項３】
前記伴走車の看取可能な表示部はＬＥＤ等の発光表示装置であることを特徴とする請求項１に記載の駅伝競技等の伴走車。
【発明の詳細な説明】
【技術分野】
【０００１】
本発明は、駅伝競技等の襷かけ等したランナーに随伴する伴走車を含んで、遠方からランナー及び伴走車を容易、正確に認識し得るようにした駅伝競技等の伴走車に関するものである。
【背景技術】
【０００２】
自動車に発光体を具備させ、発光体の点灯表示を開放したり遮蔽することで自動車を通して広告、宣伝に供する広告宣伝車両が知られている（例えば特許文献１。）。
【特許文献１】実開平５−５２８８４号公報
【０００３】
この技術は、従来のペイントパネルや印刷パネルを装着した広告宣伝車に代え、車両に設置される宣伝パネルを液晶表示体とし、液晶表示体の表面側位置に上下開閉可能なシャッタ手段を配し、液晶表示面を遮蔽可能としたものである。
表示パネルのうち歩道側に向かって位置する右側表示パネルを液晶表示パネルとし、車両停車時に表示内容を所定に時間間隔で変えてゆくものである。液晶表示面は、シャッタ手段により遮蔽可能としたので、車両走行時において禁止される不要発光は、車両の発進と同時に遮蔽することができるものである。
【０００４】
ところで、駅伝競技においては、複数組の複数のランナーが区間毎に決められた所定距離を走行して順位を競う競技で、競争を行なうランナーは、組毎の識別のため、夫々異なる特定の色彩の襷を掛けて走り、次のランナーに襷を手渡し、これを反復して駅伝競技を行なうものである。
一方、マラソンではランナーは番号を付したゼッケンを装着し、走行競技するものである。
【０００５】
ところで、応援者や観客は、沿道に並んでランナーに応援を行なったり、見物するが、テレビやラジオの視聴者はランナーの走行状態や順番を容易に視聴することができるが、沿道で応援したり見物する応援者や観客は、ランナーの走行状態や順番が分かりにくく、沿道で見物していても走ってくるランナーのチーム名が分かりにくい。
ランナーが遠い場合には、どのチームのランナーが走っているのか、判別が困難か不可能であり、近接してきてはじめてチーム名が判別可能となり、興趣がそがれる。
【０００６】
駅伝競技では、ランナーは襷をかけて走行すること、ランナーに車両が伴走し、応援したり、指示を行なったり、テレビ・ラジオ中継を行なっている。
そこで、ランナーに装着する襷、伴走する車両に着目し、本発明をなしたものである。
【発明の開示】
【発明が解決しようとする課題】
【０００７】
本発明は、駅伝競技を行なうランナーは襷を装着して走り、襷や色彩、或いはランナーの着用する衣類等のユニフォームの色彩と伴走する車両とを関連づけ、ランナー、或いはランナーのチーム名を遠方から容易に視認、確認、判別を可能とし、駅伝競技等における沿道での応援者や観客の興趣を高め得るようにしたことを課題とする。
【課題を解決するための手段】
【０００８】
請求項１に係る発明は、駅伝競技等で襷等をかけて走るランナーに伴走する伴走車において、前記ランナーは、特定の色彩の襷及び／又はユニフォームを装着しており、前記伴走車は、ランナーの襷及び／又はユニフォームと略々一致する色彩に彩色した遠方から看取可能な表示部を有することを特徴とする。
【０００９】
請求項２に係る発明は、請求項１において、前記伴走車の車体の一部／主要部／全部の何れかを、前記ランナーの襷及び／又はユニフォームと略々一致する色彩に彩色したことを特徴とする
【００１０】
請求項３に係る発明は、請求項１において、前記伴走車の看取可能な表示部はＬＥＤ等の発光表示装置であることを特徴とする。
【発明の効果】
【００１１】
請求項１に係る発明では、伴走車は、ランナーの襷及び／又はユニフォームと略々一致する色彩に彩色した遠方から看取可能な表示部を有するので、ランナーの襷や着衣の色彩が視認・確認することが難しい遠方のランナーであり、ランナーや該ランナーの所属するチーム名が判別し難い場合でも、該ランナーに伴走する伴走車の色彩を容易に視認することができ、又確認することができ、ランナーが遠方であっても、容易、確実に判別することができる。
これにより、伴走車と一緒に走行しているランナー、或いはチーム名が、伴走車の色彩で容易に判別することができる。
また以上を、ランナーの襷や着衣等の色彩に略々一致する色彩とした遠方から看取可能な表示部を、車両に設けるだけなので、簡易にランナーやチーム名を遠方から判別可能とすることができる。
【００１２】
請求項２に係る発明では、伴走車の車体の一部／主要部／全部の何れかを、ランナーの襷及び／又はユニフォームと略々一致する色彩に彩色したので、請求項１の効果に加えるに、ランナーに伴走する伴走車の色彩を視認することで、ランナーが誰であるか、チームが何れであるかを確認することができ、駅伝競技等における伴走車の色彩を視認することで、ランナーの順番を遠方から容易に確認することができる。
また、車両に着色するだけなので、車両の表示が容易、確実である。
【００１３】
請求項３に係る発明では、伴走車の看取可能な表示部をＬＥＤ等の発光表示装置としたので、請求項１の効果に加えるに、ランナーと一致する車両の表示部の色彩表示は鮮明であり、車両を含むランナー及びランナーの順番を遠方から一層容易、確実に視認することができる。
【発明を実施するための最良の形態】
【００１４】
本発明を実施するための最良の形態を添付図に基づいて以下に説明する。なお、図面は符号の向きに見るものとする。
図１は、駅伝競技におけるランナーと伴走車を示す第１の実施の形態を示す説明図である。
図１では、ランナー１が走行し、伴走車１０が近接して伴走している状態を示し、ランナー１は襷５をかけて走行している。
伴走車は通常の車両を示しているが、多人数が乗り、撮影機材や中継映像基材を搭載した車両でも良く、実施の形態では一般の伴走車を示している。
【００１５】
ランナー１の襷５は、大学駅伝であればスクールカラーに彩色されており、学校によって特定の色彩に着色されている。例えば、えび茶色、ピンク色、紫色、青色、オレンジ色等の襷をかけ、走行する。
また、高校、社会人、国際駅伝等の駅伝競技においても、高校、参加都市や参加企業、参加国等の識別のため、襷の色彩を夫々で選択し、異なった色彩の襷を装着し、競技を行なっている。
【００１６】
ランナーに随伴し、伴走する伴走車１０は、実施の形態ではランナー１の襷５の色彩と同じ色彩か、略々一致する色彩に着色１１する。
以上の着色部分で表示部を構成する。実施の形態では、伴走車の車体全体が表示部を構成する。
着色１１は、実施の形態では伴走車１０の車体の全体に同一色に彩色し、従って遠方から伴走車を見た瞬間にその彩色が極めて容易に視認でき、伴走車１０と一緒の走行するランナー１の襷５の彩色が視認でき、ランナー１が誰なのか、或いはランナー１の所属学校や所属チーム名が明確に判別することができる。
【００１７】
伴走車の彩色は、ランナーの襷と同じ色彩か、略々一致する色彩に車体を塗装したり、車体に着色フィルムを被覆したり、或いは着色フィルムを貼着等して行なう。
さらに、車両の保護用に開発された液状ラップを彩色したものでもよい。
【００１８】
図２は、本発明の第２の実施の形態を示す説明図である。
ランナー１は特定の色彩に着色された襷５を装着しているが、所定の上下のユニフォームを着用しており、実施の形態では襷５の色彩と同一色に着色したパンツ４を着用した。
尚、シャツ２はゼッケン３を見やすくするため、例えば白色等とし、ゼッケン３が目立つようにした。
【００１９】
伴走車１０の彩色は車体の一部とした。実施の形態では、伴走車１０は正面から見やすく、目立つようにボンネット１２部分に着色１１した。
正面から一層見やすく、目立つように、着色面積を大きく設定するため、ボンネット１２とともに、左右のフロントフェンダー１３、フロントバンパー１４を着色しても良い。
【００２０】
以上の図１及び図２の実施の形態では、伴走車の全体や正面から見易い部分を襷と同一か、或いは略々一致する色彩に着色し、ランナーに随伴して伴走させている。
遠方から、応援者や観客はランナー１が小さくて見にくく、ランナー１が装着する襷５の色彩の視認、確認が難しい。
しかしながら、ランナー１に随伴して伴走してくる伴走車１０は外形が大きく、伴走車前面の色彩を容易に視認、確認することができる。これにより、伴走車１０の色彩の視認、確認することで、伴走車１０とともに走っているランナー１が同じ色彩の襷を装着していることから、ランナー１の氏名や競技大学名、チーム名等が容易に判別することができる。
【００２１】
図３は、本発明の第３の実施の形態の説明図である。
本実施の形態では、ランナー１は、特定の色彩の襷５を装着し、前記と同様にパンツ４を襷５と同色とし、シャツ２はゼッケン３が目立つように白色とした。
伴走車１０は、ルーフ上に立看板式の表示器２０を起立設置し、表示面２１の面積は正面から容易に視認し得るように大きく設定した。
表示器２０の表示面２１はランナー１の襷５の色彩と同色とし、伴走中に遠方から容易に視認し得るように設定する。
【００２２】
以上の表示器２０の表示面２１は、着色した表示面で構成して見良いが、例えばＬＥＤ等の発光体で形成し、発光面としても良い。
これにより遠方からの視認性が一層向上し、伴走車１０の表示器２０の特定の色彩に発光する表示面２１を遠方から視認、確認することで、小さくて視認ししにくいランナー１が容易に判別することができる。
【００２３】
ところで、伴走車１０に設置する表示器２０であるが、表示面２１にランナー１のゼッケン３の数字と同じ数字２２を表示しても良い。
これにより、表示器２０の表示面２１の数字を視認し、遠方から伴走車１０が随伴するランナー１のゼッケン番号を容易に視認し、判別することができる。
【００２４】
尚、上記した伴走車１０のルーフ上に設置した表示器２０であるが、実施の形態では前面に発光する表示面２１を形成し、前方から視認し得るように構成したが、表示器２０の表裏両面を襷３と一致する色彩の発光面とし、走り去った状態で後方から視認し得るように構成し、通過ランナーの視認、判別を行ない得るようにしてもよい。
また、表示器２０の発光表示面２１をＬＥＤとして説明したが、表示器２０のフレーム内にランプを内装し、表示面を透過性の着色パネルで覆い、発光着色表示面を構成しても良い。
【００２５】
図４は、本発明の第４の実施の形態の説明図である。
本実施の形態は、ランナー１は襷を着用しない競技、例えばマラソン競技の例で、ランナー１のシャツ３は選手個々を表す色彩に着色されている。
一方、伴走車１０には、前記と同様にルーフ上に表示器２０を起立設置し、表示面２１をランナーのシャツ２と同じ色彩に着色し、または着色発光させることで、伴走車１０の表示器２０の表示面２１を視認、判別することで、伴走車が随伴するランナー１を、遠方から容易に判別することができる。
【００２６】
図５は、本発明の第５の実施の形態を示す説明図であり、図４の実施の形態の変更例である。
本実施の形態では、ランナー１のシャツ２及びパンツ４を、選手個々を表す色彩に着色し、ユニフォーム全体を特手に色彩に着色した。
伴走車１０には、上記と同様にルーフ上に表示器２０を起立設置し、表示面２１にはランナー１のゼッケン３の数字と同じ数字２２を表示したものである。
以上により、ランナー１は全体として上下のユニフォームが同じ色彩に着色されており、遠方からの視認性が向上する。
【００２７】
一方、一方、伴走車１０には、前記と同様にルーフ上に表示器２０を起立設置し、表示面２１をランナーのシャツ２と同じ色彩に着色し、または着色発光させることで、伴走車１０の表示器２０の表示面２１を視認、判別することで、伴走車が随伴するランナー１を、遠方から容易に判別することができ、また、表示面２１に表示された数字を視認することで、ランナー１のゼッケン番号を判別することができ、選手個々の判別が可能である。
【００２８】
尚、図５の実施の形態では、表示器２０の表示に色彩の他に選手個々人を表す数字を表示するので、選手個々人を示す色彩が類似している場合や、ランナーが多く、ランナーを示す色彩が同色、或いは同色系で、色彩だけでは判別し難い場合に、数字により判別が容易、確実に行える。
【００２９】
尚、本発明では、伴走車に設置する表示器として立看板構造のものを示したが、フロントグリル等の車体の見易い箇所に表示器を設置しても良い。
【産業上の利用可能性】
【００３０】
本発明の駅伝競技等の伴走車は、駅伝競技やマラソン競技に好適である。
【図面の簡単な説明】
【００３１】
【図１】駅伝競技におけるランナーと伴走車を示す第１の実施の形態を示す説明図である。
【図２】本発明の第２の実施の形態を示す説明図である。
【図３】本発明の第３の実施の形態を示す説明図である。
【図４】本発明の第４の実施の形態を示す説明図である。
【図５】本発明の第５の実施の形態を示す説明図であり、図４の実施の形態の変更例である。
【符号の説明】
【００３２】
１…ランナー、  ２，４…ユニフォーム、  ５…襷、  １０…伴走車、  １１…彩色された表示部、  ２０…発光表示装置である表示器。
【図１】
2006023485.tif 000003
【図２】
2006023485.tif 000004
【図３】
2006023485.tif 000005
【図４】
2006023485.tif 000006
【図５】
2006023485.tif 000007